(57)【要約】【課題】簡単な構成により、トイレットペーパーを片手で容易に切り取れるようにするとともに、トイレットペーパーの装填作業を容易なものとする。【解決手段】本発明のトイレットペーパーホルダーは、ペーパーロール１を収納する収納部２と、収納部２から、ペーパーロール１の引き出し方向に張り出された張出部４と、張出部４の端部に上方に向けられて設けられたカッター部５とを備える。【選択図】      図１
2004275539.tif 000002
【特許請求の範囲】
【請求項１】
帯状のトイレットペーパーを巻いてなるペーパーロールを保持するトイレットペーパーホルダーであって、
前記ペーパーロールを収納する収納部と、
前記収納部から、前記トイレットペーパーの引き出し方向に張り出された張出部と、
前記張出部の端部に上方に向けられて設けられたカッター部と
を備えることを特徴とするトイレットペーパーホルダー。
【請求項２】
前記収納部と前記カッター部との間に設けられ、前記ペーパーロールから引き出されたトイレットペーパーを上下に挟み込む把持部を備えることを特徴とする請求項１に記載のトイレットペーパーホルダー。
【請求項３】
前記収納部上方を覆う開閉可能な蓋体部をさらに備え、
前記把持部は、前記収納部の前記トイレットペーパー引き出し側縁部と、前記蓋体部端部とにより上下に挟み込むように構成されていることを特徴とする請求項２に記載のトイレットペーパーホルダー。
【請求項４】
前記ペーパーロールは、前記トイレットペーパーの巻き出し部分が下方となるように、前記収納部内に収納されることを特徴とする請求項１乃至３い記載のトイレットペーパーホルダー。
【発明の詳細な説明】
【０００１】
【発明の属する技術分野】
本発明は、帯状のトイレットペーパーを巻いてなるペーパーロールを保持するトイレットペーパーホルダーに関する。
【０００２】
【従来の技術】
従来、トイレットペーパーロールを保持し、使用に際して紙を切る機能を備えた設備としてトイレットペーパーホルダーがある。このトイレットペーパーホルダーにあっては、片手でペーパーを引き出して、容易に使用量分を切り取れることが好ましい。
【０００３】
ところが、現在、一般に使用されているトイレットペーパーホルダーは、ペーパーロールを覆うように設けられた蓋体に刃が取付けられた構造となっているため、一方の手で蓋体を押さえ、他方の手でペーパーを切る作業を行わなければならず、その操作性に問題があった。特に、高齢者対象の住宅や公共施設では、高齢者や、身障者、乳幼児を抱えた保護者なども多いことから、操作の容易性が求められる。
【０００４】
これについて、片手で使用量分を切り出せるトイレットペーパーホルダーとして、回転可能に保持されたトイレットペーパに対して、上方から押圧する蓋体を設け、この蓋体の端部に取付けられたカッターで、引き出されたペーパーを切る構造が考案されている（例えば、特許文献１）
【特許文献１】
特開２００２−２２３９８２号公報
【０００５】
【発明が解決しようとする課題】
しかしながら、上述した考案では、蓋体端部に設けられたカッターを、トイレットペーパーの上方から押圧する構成であるため、その構造が複雑となり、製造コストが高くなるとともに、壊れ易いという問題がある。また、上記考案では、トイレットペーパーを装填する際に、下方に押圧される蓋体を押し上げて、新しいトイレットペーパを装填する構成であるため、トイレットペーパーを装填する作業が繁雑となるという問題もあった。
【０００６】
そこで、本発明は以上の点に鑑みてなされたもので、簡単な構成により、トイレットペーパーを片手で容易に切り取れるようにするとともに、トイレットペーパーの装填作業を容易なものとすることのできるトイレットペーパーホルダーを提供することをその課題とする。
【０００７】
【課題を解決するための手段】
上記課題を解決するために、本発明は、帯状のトイレットペーパーを巻いてなるペーパーロールを保持するトイレットペーパーホルダーであって、ペーパーロールを収納する収納部と、収納部から、トイレットペーパーの引き出し方向に張り出された張出部と、張出部の端部に上方に向けられて設けられたカッター部とを備える。
【０００８】
このような本発明によれば、ペーパーロールから引き出した紙を、上方に向けられたカッター部で切るだけで、簡単に使用量分のトイレットペーパーを切り取ることができる。このとき、収納部内において、ペーパーロールの自重による収納部底面との摩擦力により、トイレットペーパーの回転が抑止されるため、トイレットペーパーの空回りを押さえる構成を必要とせず、簡単な構成とすることができる。
【０００９】
また、カッター部は、収納部から所定距離をもって張り出されているため、切り取り後のトイレットペーパ端部が、この所定距離分だけ、収納部からはみ出すこととなり、次の使用時においても容易に操作が可能となる。
【００１０】
上記発明においては、収納部とカッター部との間に設けられ、ペーパーロールから引き出されたトイレットペーパーを上下に挟み込む把持部を備えることが好ましい。この場合には、把持部により、引き出されたトイレットペーパを把持するため、切り取り時におけるトイレットペーパーの空回りをより確実に防止することができる。
【００１１】
上記発明においては、収納部上方を覆う開閉可能な蓋体部をさらに備え、把持部は、収納部のトイレットペーパー引き出し側縁部と、蓋体部端部とにより上下に挟み込むように構成されていることが好ましい。この場合には、収納部と蓋体部とにより把持部を構成するため、把持部の構成を簡略化することができる。また、収納されたペーパーロールを蓋体で覆うため、ペーパーロールが汚れるのを防止することができる。
【００１２】
上記発明においては、ペーパーロールは、トイレットペーパーの巻き出し部分が下方となるように、収納部内に収納されることが好ましい。この場合には、トイレットペーパーの自重をより有効に利用して、ペーパーロールの空回りを抑止することができる。
【００１３】
【発明の実施の形態】
（トイレットペーパーホルダの構成）
本発明の実施形態について、図面を参照しつつ説明する。図１及び図２は、本実施形態に係るトイレットペーパーホルダの概略構成を示し、図１は、トイレットペーパ装填時を示す斜視図であり、図２は、内部にトイレットペーパを収納し蓋体を閉止した状態を示す斜視図である。
【００１４】
図１及び図２に示すように、本実施形態に係るトイレットペーパーホルダーは、ペーパーロール１を収納する収納部２と、収納部２から、ペーパーロール１の引き出し方向に張り出された張出部４と、張出部４の端部に上方に向けられて設けられたカッター部５とを備える。
【００１５】
ペーパーロール１は、帯状のトイレットペーパーを、芯に巻いて構成されるものであり、本実施形態では、トイレットペーパーの巻き出し部分（引き出し端部１ａ）側が下方となるように、収納部２内に収納される。
【００１６】
収納部２は、上部が開口した箱状の部材であり、収納部２上方を覆う開閉可能な蓋体部３を備えているとともに、張出部４と一体的に形成されている。蓋体部３は、蝶番２ｂにより、収納部２に対して回動可能に設けられており、自重により閉止状態を維持し、収納部２内に収納されたペーパーロール１を覆う。なお、本実施形態では、これらの収納部２や蓋体部３、張出部４は、プラスチックにより成型されるが、本発明はこれに限定されるものではなく、ステンレス等の金属や、木材等により形成することも可能である。また、この収納部２の底面２ｃ表面には、ペーパーロール１の空回りを防止するために、凹凸を形成したり、ビニール等の可撓性のある素材を貼り付けるなどの滑り止め加工を施してもよい。
【００１７】
張出部４は、収納部２の端部から水平に張りだした受け皿状の部材であり、その端部においてカッター部５が上方に向くように、上方へと湾曲している。カッター部５は、本実施形態においては、張出部４の端部を鋸状に形成することによって構成される。なお、このカッター部５は、例えば金属性の刃を取り付けるような構成としてもよい。
【００１８】
また、本実施形態において、収納部２のトイレットペーパー引き出し側縁部２ａと、蓋体部３端部３ａとにより、トイレットペーパーの引き出し端部１ａを上下から挟み込む把持部を構成している。
【００１９】
すなわち、図３（ａ）に示すように、蓋体部３を閉じることにより、収納部２内に収納されたペーパーロール１から引き出された端部１ａを、収納部２の縁部２ａと蓋体部３の端部３ａとにより、上下から挟み込むようにする。これにより、トイレットペーパーの引き出し時には、蓋体部３の自重により、適度な抵抗が生じることになり、ペーパーロール１が収納部２内で空回りするのを防止することができる。
【００２０】
（作用・効果）
このような本実施形態に係るトイレットペーパーホルダーでは、図４に示すように、ペーパーロール１から引き出した紙を、上方に向けられたカッター部５で切るだけで、簡単に使用量分のトイレットペーパーを切り取ることができる。このとき、図３（ａ）に示すように、収納部２内において、ペーパーロールの自重による収納部２の内部底面２ｃとの摩擦力により、ペーパーロール１の回転が抑止されるため、ペーパーロール１の空回りを押さえることができる。
【００２１】
特に、カッター部５は、張出部４により収納部２から所定距離をもって張り出されているため、図２に示すように、切り取り後のトイレットペーパ端部１ａが、この所定距離分だけ、収納部２からはみ出すこととなり、次の使用時においても容易に操作が可能となる。
【００２２】
また、収納部２の上方を覆う開閉可能な蓋体部３を設け、収納部２の縁部２ａと、蓋体部３の端部３ａとにより、トイレットペーパを上下から挟み込むようにしたことにより、簡単な構成により、ペーパーロール１の空回りを防止することができるとともに、収納されたペーパーロール１を蓋体部３により、保護することができ、ペーパーロール１が汚れるのを防止することができる。
【００２３】
さらに、本実施形態では、ペーパーロール１を、巻き出し端部１ａが下方となるように、収納部２内に収納するため、図３（ａ）に示すように、ペーパーロール１の自重と、収納部２の内部底面２ｃとの摩擦力により、ペーパーロール１の空回りをより確実に抑止することができる。
【００２４】
（変更例）
なお、本発明のトイレットペーパーホルダーは、上述した実施形態に限定されるものではなく、例えば、以下のような変更を加えることができる。
【００２５】
例えば、図３（ｂ）に示すように、ペーパーロール１の芯の中に錘６を挿入するようにしてもよい。これによりペーパーが使用されるに伴いペーパーロール１の自重が減少するような場合であっても、錘６の重量によりペーパーロール１と底面２ｃとの摩擦力を維持することができ、ペーパーロール１の空回りをより確実に防止することができる。
【００２６】
さらに、図３（ｂ）に示すように、上記錘６を金属で形成するとともに、底面２ｃに板状の磁石を貼り付け、錘６を下方へ吸引するようにしてもよい。これによれば、錘６を軽量化しつつ、ペーパーロール１と底面２ｃとの摩擦力を向上させることができ、ペーパーロール１の空回りを確実に防止することができる。
【００２７】
また、上述した実施形態において、張出部４は、収納部２から水平に張り出すようにしたが、図５に示す張出部４１のように、下方に向けて傾斜させて取り付けるようにしてもよい。
【００２８】
この場合には、トイレットペーパーの端部１ａを斜め下方に引き出して切るため、把持部２ａ，３ａにおける摩擦力を増大させペーパーロール１の空回りをより効果的に防止することができるとともに、狭い空間でも必要量を容易に引き出すことができる。さらに、必要量を切り取り終わった端部１ａが、傾斜された張出部４１上に載せられる形になるため、次回の使用の際に、利用者が端部１ａを掴みやすくなるという効果も奏する。
【００２９】
【発明の効果】
以上説明したように本発明のトイレットペーパーホルダーによれば、簡単な構成により、トイレットペーパーを片手で容易に切り取れるようにするとともに、トイレットペーパーの装填作業を容易なものとすることができる。
【００３０】
【図面の簡単な説明】
【図１】実施形態に係るトイレットペーパーホルダーにおいて、トイレットペーパの装填時を示す斜視図である。
【図２】実施形態に係るトイレットペーパーホルダーにおいて、内部にトイレットペーパを収納し蓋体を閉止した状態を示す斜視図である。
【図３】実施形態及び変更例に係るトイレットペーパーホルダーの側面図である。
【図４】実施形態に係るトイレットペーパーホルダーの使用状態を示す斜視図である。
【図５】変更例に係るトイレットペーパーホルダーの使用状態を示す斜視図である。
【符号の説明】
１…ペーパーロール
１ａ…端部
２…収納部
２ａ…縁部
２ｂ…蝶番
２ｃ…内部底面
３…蓋体部
３ａ…端部
４，４１…張出部
５…カッター部
６…錘
７…磁石
【図１】
2004275539.tif 000003
【図２】
2004275539.tif 000004
【図３】
2004275539.tif 000005
【図４】
2004275539.tif 000006
【図５】
2004275539.tif 000007
【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
帯状のトイレットペーパーを巻いてなるペーパーロールを保持するトイレットペーパーホルダーであって、
前記ペーパーロールを収納する収納部と、
前記収納部から、前記トイレットペーパーの引き出し方向に張り出された張出部と、
前記張出部の端部に上方に向けられて設けられたカッター部と
前記収納部上方を覆う開閉可能な蓋体部と、
前記収納部と前記カッター部との間に設けられ、前記収納部の前記トイレットペーパー引き出し側縁部と、前記蓋体部端部とにより、前記ペーパーロールから引き出されたトイレットペーパーを上下に挟み込む把持部と、
を備え、
前記収納部底面の表面には滑り止め加工が施され、
前記ペーパーロールは、前記トイレットペーパーの巻き出し部分が下方となるように、前記収納部内に収納される
ことを特徴とするトイレットペーパーホルダー。
【請求項２】
前記滑り止め加工として、前記収納部底面の表面に凹凸を形成することを特徴とする請求項１に記載のトイレットペーパーホルダー。
【請求項３】
前記滑り止め加工として、ビニール等の可撓性のある素材を前記収納部底面の表面に貼り付けることを特徴とする請求項１に記載のトイレットペーパーホルダー。
【請求項４】
前記滑り止め加工として、前記トイレットペーパーの芯の中に錘を挿入するとともに、前記収納部底面に板状の磁石を貼り付けることを特徴とする請求項１に記載のトイレットペーパーホルダー。
【手続補正２】
【補正対象書類名】明細書
【補正対象項目名】０００７
【補正方法】変更
【補正の内容】
【０００７】
【課題を解決するための手段】
上記課題を解決するために、本発明は、帯状のトイレットペーパーを巻いてなるペーパーロールを保持するトイレットペーパーホルダーであって、ペーパーロールを収納する収納部と、収納部から、トイレットペーパーの引き出し方向に張り出された張出部と、張出部の端部に上方に向けられて設けられたカッター部と、収納部上方を覆う開閉可能な蓋体部と、収納部とカッター部との間に設けられ、収納部のトイレットペーパー引き出し側縁部と、蓋体部端部とにより、ペーパーロールから引き出されたトイレットペーパーを上下に挟み込む把持部と、を備え、収納部底面の表面には滑り止め加工が施され、ペーパーロールは、トイレットペーパーの巻き出し部分が下方となるように、収納部内に収納されることを特徴とする。
【手続補正３】
【補正対象書類名】明細書
【補正対象項目名】００１０
【補正方法】変更
【補正の内容】
【００１０】
上記発明においては、収納部とカッター部との間に設けられ、ペーパーロールから引き出されたトイレットペーパーを上下に挟み込む把持部を備えるため、把持部により、引き出されたトイレットペーパを把持するため、切り取り時におけるトイレットペーパーの空回りをより確実に防止することができる。


【手続補正４】
【補正対象書類名】明細書
【補正対象項目名】００１１
【補正方法】変更
【補正の内容】
【００１１】
上記発明においては、収納部上方を覆う開閉可能な蓋体部をさらに備え、把持部は、収納部のトイレットペーパー引き出し側縁部と、蓋体部端部とにより上下に挟み込むように構成されているため、収納部と蓋体部とにより把持部を構成するため、把持部の構成を簡略化することができる。また、収納されたペーパーロールを蓋体で覆うため、ペーパーロールが汚れるのを防止することができる。


【手続補正５】
【補正対象書類名】明細書
【補正対象項目名】００１２
【補正方法】変更
【補正の内容】
【００１２】
上記発明においては、ペーパーロールは、トイレットペーパーの巻き出し部分が下方となるように、収納部内に収納されるため、トイレットペーパーの自重をより有効に利用して、ペーパーロールの空回りを抑止することができる。